(57)【要約】【課題】見栄えが良く、締付ウェビングの汚れを防止できるチャイルドシートを提供する。【解決手段】背当部２２ｂ及び座部２２ｃを有し幼児を着座させるシート本体２２と、前記シート本体に幼児を拘束する子供用シートベルト２５と、前記シート本体の背当部の背面に引出された前記子供用シートベルトに一端部が接続され、他端部が、前記シート本体の背当部の背面から座部の下側を通り、座部前部に設置されたウェブアジャスター４３に挿通されて前記座部の前方に引出された締付ウェビング４２と、を備え、車両シートに緊締され、前記締付ウェビングとウェブアジャスターとにより前記子供用シートベルトの張りを調節するチャイルドシートにおいて、前記締付ウェビングの他端部を、前記座部の折返し部２２ｄで折り返して座部の下側へ引き込み、座部の下側に設置されたゼンマイバネ４８に接続する。【選択図】図２
2007308001.tif 000002
【特許請求の範囲】
【請求項１】
背当部及び座部を備え幼児を着座させるシート本体と、
前記シート本体に幼児を拘束する子供用シートベルトと、
前記座部の前部に設けられたウェブアジャスターと、
一端部が前記シート本体の背当部の背面に引出された前記子供用シートベルトに接続されるとともに、他端部が前記シート本体の背当部の背面から前記座部の下側を通り、前記ウェブアジャスターに挿通されて前記座部の前方に引出される締付ウェビングとを備え、
車両シートに緊締され、前記締付ウェビングとウェブアジャスターとにより前記子供用シートベルトの張りを調節するチャイルドシートにおいて、
前記締付ウェビングの他端部を、前記座部の折返し部で折り返して座部の下側へ引き込み、座部の下側に設置されたゼンマイバネに接続したことを特徴とするチャイルドシート。
【請求項２】
前記締付ウェビングは、前記座部の下側で当該座部の後部まで引き回され、前記座部の後部で折り返されて前記ゼンマイバネに接続されていることを特徴とする請求項１に記載のチャイルドシート。
【請求項３】
前記シート本体に幼児が着座しておらず、前記締付ウェビングが最大引込位置まで引き込まれた状態では、前記ゼンマイバネが実質的に張力を略発生しないように前記締付ウェビングの長さが設定されていることを特徴とする請求項１又は２に記載のチャイルドシート。
【請求項４】
前記ゼンマイバネは、定張力バネであることを特徴とする請求項１乃至３のいずれか１項に記載のチャイルドシート。
【発明の詳細な説明】
【技術分野】
【０００１】
本発明は、乗用車等の車両シートに取り付けて幼児を拘束するチャイルドシートに関する。
【背景技術】
【０００２】
従来のチャイルドシートとして、背当部及び座部を有し幼児を着座させるシート本体と、前記シート本体に幼児を拘束する子供用シートベルトと、前記シート本体の背当部の背面に引出された前記子供用シートベルトに一端部が接続され、他端部が、前記シート本体の背当部の背面から座部の下側を通り、座部前部に設置されたウェブアジャスターに挿通されて前記座部の前方に引出された締付ウェビングと、を備え、車両シートに緊締され、前記締付ウェビングとウェブアジャスターとにより前記子供用シートベルトの張りを調節するものがある（例えば、特許文献１参照）。
【０００３】
上記の従来のチャイルドシートでは、シート本体の座部の前方に引出されて余った締付ウェビングの他端は、そのまま垂れ下がるか、止め具により座部に係止されている。
【特許文献１】特開２００３−２５２０９４号公報
【発明の開示】
【発明が解決しようとする課題】
【０００４】
上記の従来のチャイルドシートにおいては、シート本体の座部の前方に引出されて余った締付ウェビングの他端が、そのまま垂れ下がるか、止め具により座部に係止されているので、見栄えが悪く、汚れやすいという問題があった。
【０００５】
本発明は、上記に鑑みてなされたものであって、見栄えが良く、締付ウェビングの汚れを防止できるチャイルドシートを得ることを目的とする。
【課題を解決するための手段】
【０００６】
上記目的を達成するため、請求項１に記載のチャイルドシートは、背当部及び座部を備え幼児を着座させるシート本体と、前記シート本体に幼児を拘束する子供用シートベルトと、前記座部の前部に設けられたウェブアジャスターと、一端部が前記シート本体の背当部の背面に引出された前記子供用シートベルトに接続されるとともに、他端部が前記シート本体の背当部の背面から前記座部の下側を通り、前記ウェブアジャスターに挿通されて前記座部の前方に引出される締付ウェビングとを備え、車両シートに緊締され、前記締付ウェビングとウェブアジャスターとにより前記子供用シートベルトの張りを調節するチャイルドシートにおいて、前記締付ウェビングの他端部を、前記座部の折返し部で折り返して座部の下側へ引き込み、座部の下側に設置されたゼンマイバネに接続したことを特徴とする。
【０００７】
これにより、締付ウェビングの他端部が座部の前方へ引出されて垂れ下がることはなく、チャイルドシートの見栄えが良く、締付ウェビングの汚れを防止することができる。
【０００８】
請求項２に記載のチャイルドシートは、前記締付ウェビングは、前記座部の下側で座部の後部まで引き回され、座部の後部で折り返されて前記ゼンマイバネに接続されていることを特徴とする。
【０００９】
これにより、ゼンマイバネを、締付ウェビングが座部の下側で引き回された距離と同じ距離だけ引き出すことができるので、締付ウェビングの長さ調節量を大きくすることができる。
【００１０】
請求項３に記載のチャイルドシートは、前記シート本体に幼児が着座しておらず、前記締付ウェビングが最大引込位置まで引き込まれた状態では、前記ゼンマイバネが実質的に張力を略発生しないように前記締付ウェビングの長さが設定されていることを特徴とする。
【００１１】
これにより、チャイルドシートが使用されていない状態では、ゼンマイバネが張力を発生しておらず、ゼンマイバネの耐久性が向上する。
【００１２】
請求項４に記載のチャイルドシートは、前記ゼンマイバネは、定張力バネであることを特徴とする。
【００１３】
これにより、締付ウェビングをどれだけ引っ張り出しても常に張力が略一定となるので、締付ウェビングの操作感を良好にすることができる。
【発明の効果】
【００１４】
本発明によれば、締付ウェビングの他端部が座部の前方へ引出されて垂れ下がることはなく、チャイルドシートの見栄えが良く、締付ウェビングの汚れを防止することができる。
【発明を実施するための最良の形態】
【００１５】
以下に、本発明によるチャイルドシートの一実施の形態を図１及び図２を参照して説明する。
【００１６】
図１は、本発明のチャイルドシートの実施の形態を示す斜視図であり、図２は、チャイルドシートの縦断面図である。
【００１７】
図１に示すように、チャイルドシート２１は、幼児を着座させるシート本体２２と、シート本体２２をリクライニング可能に支持するベース２３とを備えている。シート本体２２とベース２３とは、それぞれ互いに対向する面が円弧状の湾曲面となっていて、シート本体２２は、この湾曲面に沿ってベース２３に対してリクライニングできるようになっている。
【００１８】
操作レバー２４によって、シート本体２２とベース２３との相対移動を阻止する図示しないロック機構をロック状態又は非ロック状態に操作することにより、シート本体２２を所望のリクライニング角度にリクライニングさせることができる。
【００１９】
また、シート本体２２には、背当部２２ｂの孔２２ａに挿通された、幼児を拘束するための左右一対の子供用ウェビング２５Ａ、２５Ｂ（２５）と保護パッド３２とから成る子供用シートベルト３３が備えられている。座部２２ｃの前部に取付けられたバックル２７に、保護パッド３２の先端に設けられたタング２６を挿着（ラッチ）し、幼児を子供用シートベルト３３により拘束する。
【００２０】
チャイルドシート２１は、ベース２３が車両シート２８上に設置され、例えば、車両シート２８に付設されたシートベルト２９をシート本体２２に設けられた取付孔３０又は取付孔３１に挿通して緊締することにより、車両シート２８に固定されるようになっている。
【００２１】
図２に示すように、左右一対の子供用ウェビング２５Ａ、２５Ｂ（２５）は、孔２２ａから背当部２２ｂの背面に沿って下方に引き出され、接続具４１により締付ウェビング４２の一端部に接続されている。締付ウェビング４２の他端部は、背当部２２ｂの背面から座部２２ｃの下側（ゼンマイバネ装置６０の上側）を通って前方へ引き回され、座部２２ｃの前部に設置されたウェブアジャスタ４３に挿通されている。ウェブアジャスタ４３は、締付ウェビング４２が緩み方向（子供用ウェビング２５方向）に移動するのを防止する。
【００２２】
図２に示すように、ウェブアジャスタ４３に挿通された締付ウェビング４２の他端部は、座部２２ｃの前方へ頭を出す（＝露出部４２ａ）ように引き出され、座部２２ｃに設けられた折返し部２２ｄでＵ字状に下へ折り曲げられて再び座部２２ｃの下側へ引き込まれている。
【００２３】
座部２２ｃの下側へ引き込まれた締付ウェビング４２の他端部は、ゼンマイバネ装置６０のゼンマイブラケット４６（座部２２Ｃに取付けられている。）の下側を通って後方へ引き込まれ、座部２２ｃの後部下側に位置するようにローラブラケット５０（座部２２Ｃに取付けられている。）に支持された折返しローラ４４に下側から上側に巻き回されて前方へ折り返されている。
【００２４】
前方へ折り返された締付ウェビング４２の他端部は、折返しローラ４４の前方に設置されたガイドピン４５の下側を通って前方へ引き回され、接続具４７により、ゼンマイドラム４９に巻き回されたゼンマイバネ４８の先端部に接続されている。
【００２５】
ゼンマイバネ装置６０は、ゼンマイバネ４８、ゼンマイドラム４９、ゼンマイブラケット４６、折返しローラ４４、ローラブラケット５０、及びガイドピン４５等により構成されている。以上説明したように、締付ウェビング４２の他端部は、ゼンマイバネ装置６０により、折り返されてゼンマイバネ４８に接続されている。
【００２６】
図２に示す接続具４７の位置は、ゼンマイバネ４８がいっぱいに巻き取られて締付ウェビング４２が最大限引き込まれ（最大引込位置）、ゼンマイバネ４８が締付ウェビング４２に対して、もはや張力を実質的に発生していない張力ほぼ０の状態を示している。締付ウェビング４２の長さは、上記の最大引込位置（待機状態）でゼンマイバネ４８に張力を発生させないような長さに設定されている。
【００２７】
また、ゼンマイバネ４８は、定張力バネであり、締付ウェビング４２を最大引込位置から最小引込位置まで引き出す間、張力が略一定であり締付ウェビング４２の操作感が良好となるように図られている。
【００２８】
また、ゼンマイバネ４８の板厚は非常に薄く、ゼンマイドラム４９に複数層巻き回されても巻き外径が大きくならず、座部２２ｃの下側に設置しても座部２２ｃを高くする必要はなく、チャイルドシート２１が腰高になって不安定になることはない。
【００２９】
次に、締付ウェビング４２及び子供用シートベルト３３の動作を説明する。
【００３０】
チャイルドシート２１に幼児が着座していないとき、締付ウェビング４２は、図２に示すような最大引込位置まで引き込まれていて、締付ウェビング４２は、Ｕ字状に折り曲げられた露出部４２ａのみが外へ露出している。
【００３１】
チャイルドシート２１に幼児を着座させるときは、ウェブアジャスタ４３のロックを解除して締付ウェビング４２を緩め、子供用シートベルト３３を前方へ引っ張って子供用シートベルト３３を緩める。
【００３２】
次に、幼児をチャイルドシート２１に着座させ、左右の子供用ウェビング２５Ａ、２５Ｂを幼児の両肩に掛け、バックル２７に保護パッド３２の先端に設けられたタング２６を挿着（ラッチ）する。締付ウェビング４２の露出部４２ａを前方に引っ張って、子供用シートベルト３３の張りを調節し、ウェブアジャスタ４３で締付ウェビング４２をロックし、幼児を子供用シートベルト３３によりチャイルドシート２１に拘束する。
【００３３】
露出部４２ａで前方に引っ張られて余った締付ウェビング４２は、ゼンマイバネ４８により、ゼンマイバネ装置６０内に引き込まれ、露出部４２ａのみが外部に露出する。
【００３４】
以上説明したように、本実施形態のチャイルドシート２１においては、座部２２ｃの前方に引き出された締付ウェビング４２の余りの部分は、幼児の着座時、非着座時にかかわらず、常にゼンマイバネ装置６０内に引き込まれ、露出部４２ａが外部に露出するだけなので、チャイルドシート２１の見栄えが良く、締付ウェビング４２の汚れを防止することができる。
【図面の簡単な説明】
【００３５】
【図１】本発明のチャイルドシートの実施の形態を示す斜視図である。
【図２】チャイルドシートの縦断面図である。
【符号の説明】
【００３６】
２１…チャイルドシート
２２…シート本体
２２ａ…孔
２２ｂ…背当部
２２ｃ…座部
２２ｄ…折返し部
２３…ベース
２４…操作レバー
２５，２５Ａ，２５Ｂ…子供用ウェビング
２６…タング
２７…バックル
２８…車両シート
２９…シートベルト
３０，３１…取付孔
３２…保護パッド
３３…子供用シートベルト
４１，４７…接続具
４２…締付ウェビング
４３…ウェブアジャスタ
４４…折返しローラ
４５…ガイドピン
４６…ゼンマイブラケット
４８…ゼンマイバネ
４９…ゼンマイドラム
５０…ローラブラケット
６０…ゼンマイバネ装置
【図１】
2007308001.tif 000003
【図２】
2007308001.tif 000004